(57)【要約】【課題】  ユーザが自分以外に対して個人情報を開示できるようにする。【解決手段】  ユーザの電子カルテ情報を病院Ｄに開示する要求を、個人端末５０が中継サーバ４０に送信し、中継サーバ４０は、ユーザの電子カルテ情報を第１の病院Ｄに開示する権限を設定し、個人端末５０は権限を中継サーバ４０に設定したことを第１の病院端末６０に送信し、第１の病院端末６０はユーザの電子カルテ情報を開示する要求を中継サーバ４０に送信し、中継サーバ４０は電子カルテ情報を開示する要求を、第２の病院データサーバ１０に送信し、第２の病院データサーバ１０は中継サーバ４０から送信された電子カルテ情報を開示する要求が正しいものであれば、中継サーバ４０に電子カルテ情報を送信し、中継サーバ４０は電子カルテ情報を受信したら、第１の病院端末６０に電子カルテ情報を送信する。【選択図】  図１
2006023832.tif 000002
【特許請求の範囲】
【請求項１】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの情報通信方法において、
前記ユーザの電子カルテ情報を前記第１の病院に開示する要求を、前記個人端末が前記中継サーバに送信し、
前記中継サーバは、前記ユーザの電子カルテ情報を前記第１の病院に開示する権限を設定し、
前記個人端末は、当該権限を前記中継サーバに設定したことを前記第１の病院端末に送信し、
前記第１の病院端末は、前記ユーザの前記電子カルテ情報を開示する要求を、前記中継サーバに送信し、
前記中継サーバは、前記電子カルテ情報を開示する要求を、前記第２の病院データサーバに送信し、
前記第２の病院データサーバは、当該中継サーバから送信された前記電子カルテ情報を開示する要求が正しいものであれば、前記中継サーバに前記電子カルテ情報を送信し、
前記中継サーバは、前記電子カルテ情報を受信したら、前記第１の病院端末に当該電子カルテ情報を送信することを特徴とする医療用情報通信システムの情報通信方法。
【請求項２】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムにおいて、
前記個人端末は、前記中継サーバに、前記ユーザの電子カルテ情報を前記第１の病院に開示する要求を送信する第１の開示要求送信手段と、
前記第１の病院に前記電子カルテ情報を開示する権限が前記中継サーバに設定されたことを、前記第１の病院端末に送信する権限送信手段と、を備え；
前記中継サーバは、前記ユーザの電子カルテ情報を前記第１の病院に開示する権限を設定する権限設定手段と、
前記電子カルテ情報を開示する要求を、前記第２の病院データサーバに送信する第２の開示要求手段と、
前記電子カルテ情報を前記第１の病院端末に送信する第１の電子カルテ情報送信手段と、を備え；
前記第１の病院端末は、前記ユーザの前記電子カルテ情報を開示する要求を、前記中継サーバに送信する第３の開示要求手段を備え；
前記第２の病院データサーバは、当該中継サーバから送信された前記電子カルテ情報を開示する要求が正しいか否かを判断する開示要求判断手段と、
前記中継サーバに前記電子カルテ情報を送信する第２の電子カルテ情報送信手段と、を備え、ここで；
前記個人端末は第１の開示要求送信手段で前記電子カルテ情報を開示する要求を送信すると、前記中継サーバは前記権限設定手段で権限を設定し、
前記第１の病院端末は、前記第３の開示要求手段で前記電子カルテ情報を開示する要求を送信し、
前記中継サーバは、前記第２の開示要求手段で前記電子カルテ情報を開示する要求を送信し、
前記第２の病院データサーバは、前記開示要求判断手段で前記電子カルテ情報を開示する要求が正しいか否かを判断し正しければ、前記第２の電子カルテ情報送信手段で前記電子カルテ情報を送信し、
前記中継サーバは、前記第１の電子カルテ情報送信手段で送信することを特徴とする医療用情報通信システム。
【請求項３】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの中継サーバにおいて、
前記ユーザの電子カルテ情報を前記第１の病院に開示する権限を設定する権限設定手段と、
前記電子カルテ情報を開示する要求を、前記第２の病院データサーバに送信する開示要求手段と、
前記電子カルテ情報を前記第１の病院端末に送信する電子カルテ情報送信手段と、を備え、ここで；
前記開示要求手段で前記電子カルテ情報を開示する要求を送信し、前記第２の病院データサーバから受信した前記電子カルテ情報を、前記電子カルテ情報送信手段で送信することを特徴とする上記中継サーバ。
【請求項４】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第１の病院端末において、
前記ユーザの前記電子カルテ情報を開示する要求を、前記中継サーバに送信する開示要求手段を備え、ここで；
当該開示要求手段で前記電子カルテ情報を開示する要求を送信することを特徴とする上記第１の病院端末。
【請求項５】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第２の病院データサーバにおいて、
当該中継サーバから送信された前記電子カルテ情報を開示する要求が正しいか否かを判断する開示要求判断手段と、
前記中継サーバに前記電子カルテ情報を送信する電子カルテ情報送信手段と、を備え、ここで；
前記開示要求判断手段で前記電子カルテ情報を開示する要求が正しいか否かを判断し正しければ、前記電子カルテ情報送信手段で前記電子カルテ情報を送信することを特徴とする上記第２の病院データサーバ。
【請求項６】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの個人端末において、
前記中継サーバに、前記ユーザの電子カルテ情報を前記第１の病院に開示する要求を送信する開示要求送信手段と、
前記第１の病院に前記電子カルテ情報を開示する権限が前記中継サーバに設定されたことを、前記第１の病院端末に送信する権限送信手段と、を備え、ここで；
前記開示要求送信手段で前記電子カルテ情報を開示する要求を送信して、次に、前記権限送信手段で権限が設定されたことを送信することを特徴とする上記個人端末。
【請求項７】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの中継サーバの駆動プログラムにおいて、
前記ユーザの電子カルテ情報を前記第１の病院に開示する権限を設定させ、
前記電子カルテ情報を開示する要求を送信し、
前記第２の病院データサーバから受信した前記電子カルテ情報を、前記第１の病院端末に送信させることを特徴とする上記中継サーバの駆動プログラム。
【請求項８】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第１の病院端末の駆動プログラムにおいて、
前記ユーザの前記電子カルテ情報を開示する要求を、前記中継サーバに送信させることを特徴とする上記第１の病院端末の駆動プログラム。
【請求項９】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第２の病院データサーバの駆動プログラムにおいて、
当該中継サーバから送信された前記電子カルテ情報を開示する要求が正しいか否かを判断させ、前記中継サーバに前記電子カルテ情報を送信させることを特徴とする上記第２の病院データサーバの駆動プログラム。
【請求項１０】
ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの個人端末の駆動プログラムにおいて、
前記ユーザの電子カルテ情報を前記第１の病院に開示する要求を前記中継サーバに送信させ、前記第１の病院に前記電子カルテ情報を開示する権限が前記中継サーバに設定されたことを、前記第１の病院端末に送信させることを送信することを特徴とする上記個人端末の駆動プログラム。
【発明の詳細な説明】
【技術分野】
【０００１】
本発明は、医療用情報通信システム、医療用情報通信システムの情報通信方法、各端末及びその駆動プログラムに関し、特に、個人情報の保護ができるような医療用情報通信システム、医療用情報通信システムの情報通信方法、各端末及びその駆動プログラムに関する。
【背景技術】
【０００２】
インターネット上にある個人情報データベースのアクセス時の厳密個人認証は、ＰＫＩ（パブリック  キー  インフラストラクチャー）技術により個人の電子証明書を利用して行う方法がある。
【０００３】
カルテ情報のような医療情報を電子化して複数の医療機関が参照利用するためには、医療情報電子データを管理するサーバを設置してネットワークなどを介して参照するか、又は医療情報電子データを格納した電子媒体を個人本人が所有し、医療機関に呈示することにより参照する方法がとられていた。
【０００４】
また、特許文献１には、複数の医療関係機関を接続し情報交換を可能とする病院ネットワークと、複数の個人ユーザを接続し情報交換を可能とする一般ネットワークと、病院ネットワークを統括管理すると共に病院ネットワークに接続された医療関係機関の共有情報を格納する医療機関用サーバと、一般ネットワークを統括管理する共に一般ネットワークに接続されたユーザの共有情報を格納する一般用サーバと、病院ネットワークと一般ネットワークの情報を接続する情報サーバを備える技術について開示されている。
【特許文献１】特開２００２−０８３０５８号公報
【発明の開示】
【発明が解決しようとする課題】
【０００５】
これらの従来の方法では、医療情報電子データをサーバや電子媒体に保存する方法や、保存された情報をネットワーク上あるいは電子媒体から漏えいするあるいは盗聴されるというようなことに対する対策を講じることが必要であった。
【０００６】
また、一度サーバに保存された医療情報は、その個人情報本人の許可がなくても、医療機関従事者などサーバにアクセス可能な資格者であれば自由に参照できた。
【０００７】
この場合、ユーザが自分以外の人や機関に対して個人情報データベースを開示したい場合、開示する方法がなかった。
【０００８】
そこで、本発明は、医療用情報通信システムにおいて、ユーザが自分以外の人や機関に対して個人情報データベースを安全に開示できるようにすることを目的とする。
【課題を解決するための手段】
【０００９】
本発明は、上記課題を解決するための手段として、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの情報通信方法において、前記ユーザの電子カルテ情報を前記第１の病院に開示する要求を、前記個人端末が前記中継サーバに送信し、前記中継サーバは、前記ユーザの電子カルテ情報を前記第１の病院に開示する権限を設定し、前記個人端末は、当該権限を前記中継サーバに設定したことを前記第１の病院端末に送信し、前記第１の病院端末は、前記ユーザの前記電子カルテ情報を開示する要求を、前記中継サーバに送信し、前記中継サーバは、前記電子カルテ情報を開示する要求を、前記第２の病院データサーバに送信し、前記第２の病院データサーバは、当該中継サーバから送信された前記電子カルテ情報を開示する要求が正しいものであれば、前記中継サーバに前記電子カルテ情報を送信し、前記中継サーバは、前記電子カルテ情報を受信したら、前記第１の病院端末に当該電子カルテ情報を送信することを特徴とする。
【００１０】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムにおいて、前記個人端末は、前記中継サーバに、前記ユーザの電子カルテ情報を前記第１の病院に開示する要求を送信する第１の開示要求送信手段と、前記第１の病院に前記電子カルテ情報を開示する権限が前記中継サーバに設定されたことを、前記第１の病院端末に送信する権限送信手段と、を備え；前記中継サーバは、前記ユーザの電子カルテ情報を前記第１の病院に開示する権限を設定する権限設定手段と、前記電子カルテ情報を開示する要求を、前記第２の病院データサーバに送信する第２の開示要求手段と、前記電子カルテ情報を前記第１の病院端末に送信する第１の電子カルテ情報送信手段と、を備え；前記第１の病院端末は、前記ユーザの前記電子カルテ情報を開示する要求を、前記中継サーバに送信する第３の開示要求手段を備え；前記第２の病院データサーバは、当該中継サーバから送信された前記電子カルテ情報を開示する要求が正しいか否かを判断する開示要求判断手段と、前記中継サーバに前記電子カルテ情報を送信する第２の電子カルテ情報送信手段と、を備え、ここで；前記個人端末は第１の開示要求送信手段で前記電子カルテ情報を開示する要求を送信すると、前記中継サーバは前記権限設定手段で権限を設定し、前記第１の病院端末は、前記第３の開示要求手段で前記電子カルテ情報を開示する要求を送信し、前記中継サーバは、前記第２の開示要求手段で前記電子カルテ情報を開示する要求を送信し、前記第２の病院データサーバは、前記開示要求判断手段で前記電子カルテ情報を開示する要求が正しいか否かを判断し正しければ、前記第２の電子カルテ情報送信手段で前記電子カルテ情報を送信し、前記中継サーバは、前記第１の電子カルテ情報送信手段で送信することを特徴とする。
【００１１】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの中継サーバにおいて、前記ユーザの電子カルテ情報を前記第１の病院に開示する権限を設定する権限設定手段と、前記電子カルテ情報を開示する要求を、前記第２の病院データサーバに送信する開示要求手段と、前記電子カルテ情報を前記第１の病院端末に送信する電子カルテ情報送信手段と、を備え、ここで；前記開示要求手段で前記電子カルテ情報を開示する要求を送信し、前記第２の病院データサーバから受信した前記電子カルテ情報を、前記電子カルテ情報送信手段で送信することを特徴とする。
【００１２】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第１の病院端末において、前記ユーザの前記電子カルテ情報を開示する要求を、前記中継サーバに送信する開示要求手段を備え、ここで；当該開示要求手段で前記電子カルテ情報を開示する要求を送信することを特徴とする。
【００１３】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第２の病院データサーバにおいて、当該中継サーバから送信された前記電子カルテ情報を開示する要求が正しいか否かを判断する開示要求判断手段と、前記中継サーバに前記電子カルテ情報を送信する電子カルテ情報送信手段と、を備え、ここで；前記開示要求判断手段で前記電子カルテ情報を開示する要求が正しいか否かを判断し正しければ、前記電子カルテ情報送信手段で前記電子カルテ情報を送信することを特徴とする。
【００１４】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの個人端末において、前記中継サーバに、前記ユーザの電子カルテ情報を前記第１の病院に開示する要求を送信する開示要求送信手段と、前記第１の病院に前記電子カルテ情報を開示する権限が前記中継サーバに設定されたことを、前記第１の病院端末に送信する権限送信手段と、を備え、ここで；前記開示要求送信手段で前記電子カルテ情報を開示する要求を送信して、次に、前記権限送信手段で権限が設定されたことを送信することを特徴とする。
【００１５】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの中継サーバの駆動プログラムにおいて、前記ユーザの電子カルテ情報を前記第１の病院に開示する権限を設定させ、前記電子カルテ情報を開示する要求を送信し、前記第２の病院データサーバから受信した前記電子カルテ情報を、前記第１の病院端末に送信させることを特徴とする。
【００１６】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第１の病院端末の駆動プログラムにおいて、前記ユーザの前記電子カルテ情報を開示する要求を、前記中継サーバに送信させることを特徴とする。
【００１７】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの第２の病院データサーバの駆動プログラムにおいて、当該中継サーバから送信された前記電子カルテ情報を開示する要求が正しいか否かを判断させ、前記中継サーバに前記電子カルテ情報を送信させることを特徴とする。
【００１８】
また、本発明は、ユーザが所有する個人端末と、中継サーバと、第１の病院に備え付けられる第１の病院端末とがネットワークを介して接続され、前記中継サーバと第２の病院に備え付けられる第２の病院データサーバとがネットワークを介して接続される医療用情報通信システムの個人端末の駆動プログラムにおいて、前記ユーザの電子カルテ情報を前記第１の病院に開示する要求を前記中継サーバに送信させ、前記第１の病院に前記電子カルテ情報を開示する権限が前記中継サーバに設定されたことを、前記第１の病院端末に送信させることを送信することを特徴とする。
【発明の効果】
【００１９】
本発明によれば、患者（ユーザ）は中継サーバに対して、あらかじめ個人情報開示に関する設定を行うことにより、自分の電子カルテ情報を保有している病院から患者が開示してよい範囲の個人情報のみを指定した病院に対して、インターネットのようなネットワーク上でも安全に情報開示することができるという効果がある。
【発明を実施するための最良の形態】
【００２０】
以下、添付図面を参照して本発明を実施するための最良の実施の形態を説明する。
【００２１】
［構成の説明］
図１は、本発明の一実施の形態の構成を示すブロック図である。
【００２２】
図１に示すように、本実施の形態の端末構成は、複数の病院Ａ−Ｃデータサーバ（１０−３０）と、中継サーバ４０と、個人端末５０と、病院Ｄ端末６０とである。
【００２３】
複数の病院Ａ−Ｃデータサーバ（１０−３０）及び中継サーバ４０は、プログラム制御により動作し、インターネットなどのネットワーク１００を介して相互に接続されている。
【００２４】
また、個人端末５０及び病院Ｄ端末６０もプログラム制御により動作し、中継サーバ４０と、インターネットなどのネットワーク２００を介して相互に接続されている。
【００２５】
病院Ａデータサーバ１０は、サーバコンピュータなどの情報処理装置であり、電子データをデータベースとして保有する。電子データとしては、患者（ユーザ）の電子カルテ情報などを含む。
【００２６】
病院Ａデータサーバ１０は、保有している電子データを外部からのアクセスから保護する手段と、データアクセスの権限があるときだけデータアクセスを許可する手段とを備えている。
【００２７】
病院Ｂデータサーバ２０及び病院Ｃデータサーバ３０も病院Ａデータサーバ１０と同様の機能を有している。
【００２８】
中継サーバ４０は、サーバコンピュータなどの情報処理装置であり、個人端末５０や、病院Ｄ端末６０からの要求内容を該当の病院データサーバに送信し、また病院データサーバからの返信情報を病院Ｄ端末６０に送信することができる。
【００２９】
また、中継サーバ４０は、インターネット上の公的な認証を行うことができる。
【００３０】
個人端末５０は、パーソナルコンピュータや携帯電話などの情報処理装置であり、中継サーバ４０に対して病院データサーバへの情報開示要求を入力することができる。
【００３１】
病院Ｄ端末６０は、個人端末５０の指示を受信し、また中継サーバ４０に病院データサーバへの情報開示要求を送信し、中継サーバから当該情報を受信することができる。
【００３２】
［動作の説明］
図２は、本発明の一実施の形態の動作を示すシーケンスである。
【００３３】
まず、本実施の形態では、以下の事項を前提とする。
【００３４】
（Ａ）  患者は、過去に病院Ａ、病院Ｂ、病院Ｃにて受診したことがある。
【００３５】
（Ｂ）  患者の電子カルテが既に各病院の病院データサーバ１０−３０それぞれに保有されている。
【００３６】
（Ｃ）  患者は、新規に病院Ｄにて受診し、過去のカルテ情報を病院Ａから病院Ｄに対して情報開示を行ってほしいと希望している。
【００３７】
図２に示すように、患者は、個人端末５０の情報入力画面から、自分の電子カルテ情報を病院Ｄ６０に開示する要求を入力し、中継サーバ４０に送信する（ステップＳ１０１）。
【００３８】
患者の電子カルテ情報を閲覧する要求を受け付けた中継サーバ４０は、患者に代わって電子カルテ情報を病院Ｄに開示してもよい権限を中継サーバ４０に設定する（ステップＳ１０２）。
【００３９】
同時に、患者は、病院Ｄ端末６０に、上記の権限を設定したことを送信する（ステップＳ１０３）。
【００４０】
病院Ｄ端末６０は、個人端末５０から上記の設定をした送信を受けると、中継サーバ４０に対して、患者の依頼により病院Ａデータサーバ１０に格納される当該患者の電子カルテ情報を開示する要求を送信する（ステップＳ１０４）。
【００４１】
中継サーバ４０は、上述の要求を病院Ｄ端末６０から受信すると、当該情報を開示してもよい権限を患者から設定されていることを確認する（ステップＳ１０５）。
【００４２】
次に、中継サーバ４０は、患者の権限を保持して、病院Ａデータサーバ１０のデータベースに対して当該情報の情報開示要求を送信する（ステップＳ１０６）。
【００４３】
病院Ａデータサーバ１０は、上述の要求を中継サーバ４０から受信し、当該患者の権限を確認し正しい権限である場合は、中継サーバ４０に当該情報を送信する（ステップＳ１０７）。
【００４４】
中継サーバ４０は、上述の個人情報を病院Ａデータサーバ１０から受信したら、その内容を病院Ｄ端末６０に送信する（ステップＳ１０８）。
【図面の簡単な説明】
【００４５】
【図１】本発明の一実施の形態の構成を示すブロック図である。
【図２】本発明の一実施の形態の動作を示すシーケンスである。
【符号の説明】
【００４６】
１０  病院Ａデータサーバ
２０  病院Ｂデータサーバ
３０  病院Ｃデータサーバ
４０  中継サーバ
５０  個人端末
６０  病院Ｄ端末
１００  ネットワーク
２００  ネットワーク
【図１】
2006023832.tif 000003
【図２】
2006023832.tif 000004